(57)【要約】【課題】医用画像内の計測対象の特徴量をプロットしたグラフを医用画像が表示された表示領域内に表示した際、簡易な編集操作によって即座にグラフの編集を行うことができる医用画像表示制御装置および方法並びにプログラムを提供する。【解決手段】医用画像を表示部に表示させる医用画像表示制御部１１と、医用画像内の計測対象の特徴量を取得する特徴量取得部１２と、特徴量をプロットしたグラフを医用画像の表示領域内に表示させるグラフ表示制御部１３と、グラフが表示されている状態において、そのグラフの編集操作を受け付ける編集操作受付部１４とを備え、グラフ表示制御部１３が、編集操作受付部１４によって受け付けられた編集操作に応じてグラフを編集する。【選択図】図１
2016158829.tif 000002
【特許請求の範囲】
【請求項１】
医用画像を表示部に表示させる医用画像表示制御部と、
前記医用画像内の計測対象の特徴量を取得する特徴量取得部と、
前記特徴量をプロットしたグラフを前記医用画像の表示領域内に表示させるグラフ表示制御部と、
前記グラフが表示されている状態において、該グラフの編集操作を受け付ける編集操作受付部とを備え、
前記グラフ表示制御部が、前記編集操作受付部によって受け付けられた編集操作に応じて前記グラフを編集することを特徴とする医用画像表示制御装置。
【請求項２】
前記特徴量取得部が、複数の前記医用画像内のそれぞれの前記計測対象の特徴量を取得し、
前記グラフ表示制御部が、複数の前記計測対象の特徴量をプロットしたグラフを表示させる請求項１記載の医用画像表示制御装置。
【請求項３】
前記複数の医用画像が、同一の被検体を時系列に撮影したものである請求項２記載の医用画像表示制御装置。
【請求項４】
前記医用画像表示制御部が、複数の前記医用画像を並べて前記表示部に表示させる請求項１から３いずれか１項記載の医用画像表示制御装置。
【請求項５】
前記グラフ表示制御部が、前記複数の医用画像のそれぞれの前記表示領域内に前記グラフを表示させる請求項４記載の医用画像表示制御装置。
【請求項６】
前記編集操作受付部が、前記グラフの追加操作を受け付け、
前記グラフ表示制御部が、前記追加操作に応じて、現在表示されているグラフにさらにグラフを追加して表示させる請求項１から５いずれか１項記載の医用画像表示制御装置。
【請求項７】
前記編集操作受付部が、前記計測対象の追加操作を前記グラフの追加操作として受け付ける請求項６記載の医用画像表示制御装置。
【請求項８】
前記編集操作受付部が、前記グラフのサイズ変更操作を受け付け、
前記グラフ表示制御部が、前記グラフのサイズ変更操作に応じて、現在表示されているグラフのサイズを変更して表示させる請求項１から７いずれか１項記載の医用画像表示制御装置。
【請求項９】
前記編集操作受付部が、前記グラフの表示位置の変更操作を受け付け、
前記グラフ表示制御部が、前記表示位置の変更操作に応じて、現在表示されているグラフの表示位置を変更して表示させる請求項１から８いずれか１項記載の医用画像表示制御装置。
【請求項１０】
前記編集操作受付部が、前記グラフの色の変更操作を受け付け、
前記グラフ表示制御部が、前記色の変更操作に応じて、現在表示されているグラフの色を変更して表示させる請求項１から９いずれか１項記載の医用画像表示制御装置。
【請求項１１】
前記グラフ表示制御部が、前記グラフに文字情報を付加して表示させるものであり、
前記編集操作受付部が、前記文字情報のサイズ変更操作を受け付け、
前記グラフ表示制御部が、前記文字情報のサイズ変更操作に応じて、現在表示されている文字情報のサイズを変更して表示させる請求項１から１０いずれか１項記載の医用画像表示制御装置。
【請求項１２】
前記編集操作受付部が、前記グラフの線幅の変更操作を受け付け、
前記グラフ表示制御部が、前記線幅の変更操作に応じて、現在表示されているグラフの線幅を変更して表示させる請求項１から１１いずれか１項記載の医用画像表示制御装置。
【請求項１３】
前記グラフ表示制御部が、前記グラフに文字情報を付加して表示させるものであり、
前記編集操作受付部が、前記文字情報のフォントの変更操作を受け付け、
前記グラフ表示制御部が、前記文字情報のフォントの変更操作に応じて、現在表示されている文字情報のフォントを変更して表示させる請求項１から１２いずれか１項記載の医用画像表示制御装置。
【請求項１４】
前記編集操作受付部が、前記グラフをコピーするコピー操作および該コピーされたグラフを前記表示領域内に貼り付けるペースト操作を受け付け、
前記グラフ表示制御部が、前記コピー操作および前記ペースト操作に応じて、前記コピーされたグラフを追加して表示させる請求項１から１３いずれか１項記載の医用画像表示制御装置。
【請求項１５】
前記編集操作受付部が、前記グラフの削除操作を受け付け、
前記グラフ表示制御部が、前記グラフの削除操作に応じて、現在表示されているグラフを削除する請求項１から１４いずれか１項記載の医用画像表示制御装置。
【請求項１６】
前記編集操作受付部が、前記特徴量の種類の変更操作を受け付け、
前記グラフ表示制御部が、前記特徴量の種類の変更操作に応じて、該変更操作後の特徴量のグラフを表示させる請求項１から１５いずれか１項記載の医用画像表示制御装置。
【請求項１７】
前記編集操作受付部が、前記グラフの編集操作として前記計測対象の変更操作を受け付け、
前記特徴量取得部が、前記計測対象の変更操作に応じて、該変更操作後の計測対象の特徴量を取得し、
前記グラフ表示制御部が、前記変更操作後の計測対象の特徴量のグラフを表示させる請求項１から１６いずれか１項記載の医用画像表示制御装置。
【請求項１８】
前記編集操作受付部が、前記グラフの背景を透過表示または非透過表示とする操作を受け付け、
前記グラフ表示制御部が、前記透過表示または非透過表示とする操作に応じて、前記グラフの背景を透過表示または非透過表示とする請求項１から１７いずれか１項記載の医用画像表示制御装置。
【請求項１９】
医用画像を表示部に表示する医用画像表示制御方法であって、
前記医用画像内の計測対象の特徴量を取得し、
該特徴量をプロットしたグラフを前記医用画像の表示領域内に表示させ、
前記グラフが表示されている状態において、該グラフの編集操作を受け付け、該受け付けた編集操作に応じて前記グラフを編集することを特徴とする医用画像表示制御方法。
【請求項２０】
医用画像を表示部に表示させる医用画像表示制御部と、
前記医用画像内の計測対象の特徴量を取得する特徴量取得部と、
前記特徴量をプロットしたグラフを前記医用画像の表示領域内に表示させるグラフ表示制御部と、
前記グラフが表示されている状態において、該グラフの編集操作を受け付ける編集操作受付部としてコンピュータを機能させる医用画像表示制御プログラムであって、
前記グラフ表示制御部が、前記編集操作受付部によって受け付けられた編集操作に応じて前記グラフを編集することを特徴とする医用画像表示制御プログラム。
【発明の詳細な説明】
【技術分野】
【０００１】
本発明は、医用画像とその医用画像内の計測対象の特徴量をプロットしたグラフとを表示させる医用画像表示制御装置および方法並びにプログラムに関するものである。
【背景技術】
【０００２】
従来、放射線画像、ＭＲＩ（Magnetic Resonance Imaging）画像または超音波画像などの医用画像内に含まれる臓器または病変などの特徴量を計測し、その計測結果に基づいて、臓器の異常の有無や病変の成長度などを確認することが行われている。
【０００３】
たとえば特許文献１においては、２点間の距離を計測して表示させたり、指定された区間の画素値の分布をプロファイルとして表示させたりすることが提案されている。また、特許文献２においては、医用画像上にユーザが関心領域を設定し、その関心領域の特徴量を棒グラフで表示させることが提案されている。また、特許文献３においては、左右の肺の特徴を把握しやすいようにグラフ表示させることが提案されている。
【先行技術文献】
【特許文献】
【０００４】
【特許文献１】特開２００５−２７８７８６号公報
【特許文献２】特開２０１３−４２７６７号公報
【特許文献３】特開２０１０−１６７０６７号公報
【発明の概要】
【発明が解決しようとする課題】
【０００５】
ここで、特許文献１に記載のように医用画像から計測した計測結果を医用画像の表示領域内にグラフなどで表示した際、その表示領域内に医用画像とグラフとを表示した状態のままでグラフの編集を行いたい場合がある。
【０００６】
しかしながら、従来、一度表示されたグラフなどを編集するためには、現在のグラフ表示を終了した後、新しいグラフを作成するための設定画面を立ち上げ、その設定画面内にグラフを作成するためのパラメータを新たに設定し直す必要があり、非常に手間がかかる作業になっていた。
【０００７】
本発明は、上記事情に鑑み、医用画像内の計測対象の特徴量をプロットしたグラフを医用画像が表示された表示領域内に表示した際、簡易な編集操作によって即座にグラフの編集を行うことができる医用画像表示制御装置および方法並びにプログラムを提供することを目的とするものである。
【課題を解決するための手段】
【０００８】
本発明の医用画像表示制御装置は、医用画像を表示部に表示させる医用画像表示制御部と、医用画像内の計測対象の特徴量を取得する特徴量取得部と、特徴量をプロットしたグラフを医用画像の表示領域内に表示させるグラフ表示制御部と、グラフが表示されている状態において、そのグラフの編集操作を受け付ける編集操作受付部とを備え、グラフ表示制御部が、編集操作受付部によって受け付けられた編集操作に応じてグラフを編集することを特徴とする。
【０００９】
また、上記本発明の医用画像表示制御装置において、特徴量取得部は、複数の医用画像内のそれぞれの計測対象の特徴量を取得することができ、グラフ表示制御部は、複数の計測対象の特徴量をプロットしたグラフを表示させることができる。
【００１０】
また、上記本発明の医用画像表示制御装置において、複数の医用画像は、同一の被検体を時系列に撮影したものであることが望ましい。
【００１１】
また、上記本発明の医用画像表示制御装置において、医用画像表示制御部は、複数の医用画像を並べて表示部に表示させることができる。
【００１２】
また、上記本発明の医用画像表示制御装置において、グラフ表示制御部は、複数の医用画像のそれぞれの表示領域内にグラフを表示させることができる。
【００１３】
また、上記本発明の医用画像表示制御装置において、編集操作受付部は、グラフの追加操作を受け付けることができ、グラフ表示制御部は、追加操作に応じて、現在表示されているグラフにさらにグラフを追加して表示させることができる。
【００１４】
また、上記本発明の医用画像表示制御装置において、編集操作受付部は、計測対象の追加操作をグラフの追加操作として受け付けることができる。
【００１５】
また、上記本発明の医用画像表示制御装置において、編集操作受付部は、グラフのサイズ変更操作を受け付けることができ、グラフ表示制御部は、グラフのサイズ変更操作に応じて、現在表示されているグラフのサイズを変更して表示させることができる。
【００１６】
また、上記本発明の医用画像表示制御装置において、編集操作受付部は、グラフの表示位置の変更操作を受け付けることができ、グラフ表示制御部は、表示位置の変更操作に応じて、現在表示されているグラフの表示位置を変更して表示させることができる。
【００１７】
また、上記本発明の医用画像表示制御装置において、編集操作受付部は、グラフの色の変更操作を受け付けることができ、グラフ表示制御部は、色の変更操作に応じて、現在表示されているグラフの色を変更して表示させることができる。
【００１８】
また、上記本発明の医用画像表示制御装置において、グラフ表示制御部は、グラフに文字情報を付加して表示させることができ、編集操作受付部は、文字情報のサイズ変更操作を受け付けることができ、グラフ表示制御部は、文字情報のサイズ変更操作に応じて、現在表示されている文字情報のサイズを変更して表示させることができる。
【００１９】
また、上記本発明の医用画像表示制御装置において、編集操作受付部は、グラフの線幅の変更操作を受け付けることができ、グラフ表示制御部は、線幅の変更操作に応じて、現在表示されているグラフの線幅を変更して表示させることができる。
【００２０】
また、上記本発明の医用画像表示制御装置において、グラフ表示制御部は、グラフに文字情報を付加して表示させることができ、編集操作受付部は、文字情報のフォントの変更操作を受け付けることができ、グラフ表示制御部は、文字情報のフォントの変更操作に応じて、現在表示されている文字情報のフォントを変更して表示させることができる。
【００２１】
また、上記本発明の医用画像表示制御装置において、編集操作受付部は、グラフをコピーするコピー操作およびそのコピーされたグラフを表示領域内に貼り付けるペースト操作を受け付けることができ、グラフ表示制御部は、コピー操作およびペースト操作に応じて、コピーされたグラフを追加して表示させることができる。
【００２２】
また、上記本発明の医用画像表示制御装置において、編集操作受付部は、グラフの削除操作を受け付けることができ、グラフ表示制御部は、グラフの削除操作に応じて、現在表示されているグラフを削除することができる。
【００２３】
また、上記本発明の医用画像表示制御装置において、編集操作受付部は、特徴量の種類の変更操作を受け付けることができ、グラフ表示制御部は、特徴量の種類の変更操作に応じて、その変更操作後の特徴量のグラフを表示させることができる。
【００２４】
また、上記本発明の医用画像表示制御装置において、編集操作受付部は、グラフの編集操作として計測対象の変更操作を受け付けることができ、特徴量取得部は、計測対象の変更操作に応じて、その変更操作後の計測対象の特徴量を取得することができ、グラフ表示制御部は、変更操作後の計測対象の特徴量のグラフを表示させることができる。
【００２５】
また、上記本発明の医用画像表示制御装置において、編集操作受付部は、グラフの背景を透過表示または非透過表示とする操作を受け付け、グラフ表示制御部は、透過表示または非透過表示とする操作に応じて、グラフの背景を透過表示または非透過表示とすることができる。
【００２６】
本発明の医用画像表示制御方法は、医用画像を表示部に表示する医用画像表示制御方法であって、医用画像内の計測対象の特徴量を取得し、その特徴量をプロットしたグラフを医用画像の表示領域内に表示させ、グラフが表示されている状態において、そのグラフの編集操作を受け付け、その受け付けた編集操作に応じてグラフを編集することを特徴とする。
【００２７】
本発明の医用画像表示制御プログラムは、医用画像を表示部に表示させる医用画像表示制御部と、医用画像内の計測対象の特徴量を取得する特徴量取得部と、特徴量をプロットしたグラフを医用画像の表示領域内に表示させるグラフ表示制御部と、グラフが表示されている状態において、そのグラフの編集操作を受け付ける編集操作受付部としてコンピュータを機能させる医用画像表示制御プログラムであって、グラフ表示制御部が、編集操作受付部によって受け付けられた編集操作に応じてグラフを編集することを特徴とする。
【発明の効果】
【００２８】
本発明の医用画像表示制御装置および方法並びにプログラムによれば、医用画像内の計測対象の特徴量を取得し、その特徴量をプロットしたグラフを医用画像の表示領域内に表示する。そして、医用画像の表示領域内に医用画像とグラフとが表示されている状態において、そのグラフの編集操作を受け付け、その編集操作に応じてグラフを編集するようにしたので、医用画像の表示領域内に表示されたグラフを編集する際、従来のようにグラフ表示を一旦終了してグラフを作成するためのパラメータを再設定する作業を行う必要がなく、簡易な編集操作によって即座にグラフの編集を行うことができる。
【図面の簡単な説明】
【００２９】
【図１】本発明の医用画像表示制御装置および方法並びにプログラムの一実施形態を用いた医用画像表示システムの概略構成を示すブロック図
【図２】本発明の医用画像表示制御装置および方法並びにプログラムの一実施形態を用いた医用画像表示システムの作用を説明するためのフローチャート
【図３】４枚の胸部の断層画像を並べて表示させた例を示す図
【図４】各医用画像の各関心領域の複数の特徴量をリスト表示させた例を示す図
【図５】各医用画像の各表示領域内に特徴量をプロットしたグラフをそれぞれ表示した例を示す図
【図６】グラフの追加を説明するための図
【図７】グラフのサイズ変更を説明するための図
【図８】グラフの表示位置の変更を説明するための図
【図９】グラフの色の変更を説明するための図
【図１０】グラフの文字情報のサイズ変更を説明するための図
【図１１】グラフの線幅の変更を説明するための図
【図１２】グラフの文字情報のフォント変更を説明するための図
【図１３】グラフのコピーおよびペーストを説明するための図
【図１４】グラフの削除を説明するための図
【図１５】グラフの特徴量の種類の変更を説明するための図
【図１６】グラフの関心領域の変更を説明するための図
【図１７】グラフの背景の透過表示または非透過表示の変更を説明するための図
【発明を実施するための形態】
【００３０】
以下、本発明の医用画像表示制御装置および方法並びにプログラムの一実施形態を用いた医用画像表示システムについて、図面を参照しながら詳細に説明する。図１は、本実施形態の医用画像表示システム１の概略構成を示すブロック図である。
【００３１】
本実施形態の医用画像表示システム１は、医用画像表示制御装置１０と、表示装置２０と、入力装置３０とを備えている。
【００３２】
医用画像表示制御装置１０は、図１に示すように、医用画像表示制御部１１と、特徴量取得部１２と、グラフ表示制御部１３と、編集操作受付部１４とを備えている。
【００３３】
医用画像表示制御装置１０は、中央処理装置（ＣＰＵ（Central Processing Unit））、半導体メモリ、およびハードディスクやＳＳＤ(Solid State Drive)等のストレージデバイスを備えている。ストレージデバイスには、本実施形態の医用画像表示制御プログラムがインストールされており、この医用画像表示制御プログラムが中央処理装置によって実行されることによって、図１に示すような医用画像表示制御部１１、特徴量取得部１２、グラフ表示制御部１３および編集操作受付部１４が動作する。医用画像表示制御プログラムは、ＣＤ−ＲＯＭ（Compact Disc Read Only Memory）等の記録媒体に記憶されたものでもよいし、インターネット等のネットワークを介して配布されたものでもよい。
【００３４】
医用画像表示制御部１１は、予め撮影された患者の医用画像を取得し、その医用画像を表示装置２０に表示させるものである。医用画像としては、たとえばＣＴ（Computed Tomography）装置およびＭＲＩ（Magnetic Resonance Imaging）装置などによって撮影された断層画像や、複数の断層画像から生成された３次元画像などがある。断層画像としては、アキシャル断面画像、サジタル断面画像、コロナル断面画像およびその他のＭＰＲ（Multi-Planar Reconstruction）断面画像などがある。
【００３５】
医用画像は、医用画像保管サーバなどに患者の識別情報とともに予め保管されており、医用画像表示制御部１１は、入力装置３０を用いてユーザによって入力された患者の識別情報に基づいて、その識別情報を有する医用画像を医用画像保管サーバから読み出すものである。
【００３６】
特徴量取得部１２は、医用画像上においてユーザによって設定された計測対象の特徴量を算出するものである。具体的には、たとえば表示装置２０に表示された医用画像上において、ユーザによって入力装置３０を用いて関心領域または２点もしくは３点の計測点が設定入力され、特徴量取得部１２は、その設定された関心領域または計測点に基づいて所定の特徴量を計測して取得するものである。特徴量としては、計測対象が関心領域である場合には、たとえば関心領域の面積や濃度の平均値、最大値、最小値および標準偏差などがある。また、関心領域内に含まれる臓器や病変の輪郭の長さ、長軸の長さ（長径）、最長径および最短径などがある。また、たとえば計測対象が２点の計測点によって設定された場合には、その２点の計測点間の距離がある。また、計測対象が３点の計測点によって設定された場合には、その３点の計測点によって計測される角度がある。なお、特徴量については、これに限らず、その他の特徴量を計測して取得するようにしてもよい。
【００３７】
なお、計測対象の医用画像としては、３次元画像でもよいし、断層画像などの２次元画像でもよい。３次元画像を計測する場合には、３次元空間において計測を行うようにしてもよいし、３次元画像を２次元画面上に投影した２次元空間において計測を行うようにしてもよい。
【００３８】
グラフ表示制御部１３は、特徴量取得部１２によって取得された特徴量をプロットしたグラフを、表示装置２０に表示された医用画像の表示領域内に表示させるものである。本実施形態では、特徴量取得部１２が、複数の医用画像上でそれぞれ設定された各計測対象の特徴量を取得し、グラフ表示制御部１３が、その各計測対象の特徴量をプロットしてグラフを生成して表示装置２０に表示させる。
【００３９】
複数の医用画像としては、たとえば同一の患者（被検体）を時系列に撮影した医用画像を用いることができる。時系列に撮影した医用画像としては、たとえば同一患者の病変の状態を経時的に観察したい場合に、経時的に複数回撮影された医用画像および定期健診などで一定の間隔をおいて複数回された医用画像などがある。なお、具体的なグラフの表示方法については、後で詳述する。
【００４０】
編集操作受付部１４は、グラフ表示制御部１３によって表示装置２０に医用画像とともに表示されたグラフの編集操作を受け付けるものである。編集操作は、たとえば入力装置３０を用いてユーザによって設定入力される。ユーザによる編集操作としては、たとえばマウスによるクリックおよびドラッグ並びにキーボードによるショートカットキー操作などがある。
【００４１】
また、入力装置３０として表示装置２０も兼用したタッチパネルを用いるようにしてもよく、その場合、編集操作としては、指によるタップ、ドラッグ、フリック、ピンチインおよびピンチアウトなどがある。なお、フリックとは、指をはらうように、画面上をスライドさせながらすぐ離す操作のことを言い、ピンチアウトとは2本の指で画面を押さえ、摘むように指を近づける操作のことを言い、ピンチインとは逆に指を広げて遠ざける操作のことをいう。
【００４２】
編集操作受付部１４には、上述したようなユーザによる編集操作とグラフの編集内容との関係が予め設定されている。グラフの編集内容としては、たとえば、グラフの追加、サイズ変更、表示位置変更、色の変更、文字情報のサイズ変更、グラフの線幅の変更、文字情報のフォント変更、コピー操作、ペースト操作、削除操作、特徴量の種類の変更操作、計測対象の変更操作、およびグラフの背景の透過表示または非透過表示操作などがある。なお、これらの編集内容に限らず、その他の編集内容を設定するようにしてもよい。また、ユーザによる編集操作に応じたグラフの編集については、後で詳述する。
【００４３】
そして、編集操作受付部１４は、ユーザによる編集操作を受け付け、その編集操作に応じた編集内容を決定し、グラフ表示制御部１３に出力するものである。グラフ表示制御部１３は、編集操作受付部１４から出力された編集内容を受け付け、その編集内容に応じて現在表示されているグラフを編集し、編集後のグラフを表示装置２０に表示させるものである。
【００４４】
入力装置３０は、ユーザによる種々の設定入力を受け付けるものであり、マウスやキーボードなどの入力デバイスを備えたものである。特に、本実施形態の入力装置３０は、上述したグラフの編集操作を受け付けるものである。なお、上述したように入力装置３０および表示装置２０をタッチパネルで構成するようにしてもよい。
【００４５】
表示装置２０は、医用画像および上述したグラフを表示するものであり、液晶モニタなどから構成されるものである。
【００４６】
次に、本実施形態の医用画像表示システム１の作用について、図２に示すフローチャートを参照しながら説明する。
【００４７】
まず、ユーザによって入力装置３０を用いて患者の識別情報などが入力され、医用画像表示制御部１１によって取得される（Ｓ１０）。医用画像表示制御部１１は、入力された患者の識別情報に基づいて医用画像保管サーバなどを検索し、その識別情報が付加された医用画像を読み出して取得し（Ｓ１２）、その取得した医用画像を表示装置２０に表示させる（Ｓ１４）。
【００４８】
図３は、医用画像として胸部の断層画像を４枚読み出して表示装置２０に表示させた例を示している。図３に示す４枚の医用画像Ｐ１〜Ｐ４は、同じ患者を時系列に撮影した医用画像であり、それぞれ表示領域Ｒ１〜Ｒ４に並べて同時に表示されている。なお、本実施形態においては、４枚の医用画像Ｐ１〜Ｐ４を表示させるようにしたが、表示させる医用画像の枚数は４枚に限らず、２枚でもよいし５枚以上の数でもよい。
【００４９】
また、同時に表示させる複数枚の医用画像については、たとえば同じ患者を撮影した全ての医用画像をサムネイル表示し、そのサムネイル表示された医用画像の中から表示対象の医用画像をユーザがマウスのポインタなどで指定するようにすればよい。
【００５０】
また、このようにユーザが指定する方法に限らず、たとえば直近に撮影された４枚の医用画像を医用画像表示制御部１１が自動的に選択して表示させるようにしてもよい。また、ユーザが入力装置３０を用いて日付を入力し、医用画像表示制御部１１が、その日付の直前に撮影された４枚の医用画像、その日付の直後に撮影された４枚の医用画像またはその日付を挟んで前後に撮影された４枚の医用画像を自動的に選択して表示させるようにしてもよい。なお、医用画像表示制御部１１によって自動的に選択される医用画像の枚数は、予め設定した枚数としてもよいし、ユーザによって入力装置３０を用いて任意に変更可能としてもよい。
【００５１】
次に、表示された４枚の医用画像に対して、図３に示すように、それぞれ計測対象の関心領域ＲＯＩ（Region Of Interest）１〜ＲＯＩ４が設定される（Ｓ１６）。関心領域ＲＯＩ１〜ＲＯＩ４の設定は、ユーザがマウスのポインタなどを用いて各医用画像に対してそれぞれ手動で設定するようにしてもよいし、複数の医用画像うちの１つの医用画像に対してユーザが手動で関心領域を設定し、その手動で設定された関心領域と同じ位置の領域を他の医用画像の関心領域として自動的に設定するようにしてもよい。
【００５２】
複数の医用画像の座標系が同じである場合には、他の医用画像の関心領域は、手動で設定された関心領域と同じ座標位置の領域を設定するようにすればよい。複数の医用画像の座標系が異なる場合には、手動で設定された関心領域に含まれる臓器や病変などをパターンマッチングなどの画像処理を用いて他の医用画像上において検出し、その検出した臓器や病変を含む領域を他の医用画像の関心領域として設定するようにすればよい。
【００５３】
次に、ユーザによって入力装置３０を用いて計測指示が入力されると、特徴量取得部１２によって各関心領域ＲＯＩ１〜ＲＯＩ４の特徴量が算出される（Ｓ２０）。なお、この際、必ずしも全ての関心領域ＲＯＩ１〜ＲＯＩ４の特徴を算出しなくてもよい。たとえば、関心領域ＲＯＩ１〜ＲＯＩ４の中からグラフとして特徴量をプロットしたい関心領域をユーザがマウスなどを用いて選択し、その選択した関心領域のみの特徴量を算出するようにしてもよい。
【００５４】
そして、図４に示すように、特徴量取得部１２によって算出された各関心領域ＲＯＩ１〜ＲＯＩ４の特徴量は、各医用画像Ｐ１〜Ｐ４の各表示領域Ｒ１〜Ｒ４内にそれぞれリスト表示される。図４においては、特徴量として、各関心領域ＲＯＩ１〜ＲＯＩ４の面積、長径、濃度の平均値、濃度の標準偏差、濃度の最大値および濃度の最小値を算出して表示した例を示している。また、各関心領域ＲＯＩ１〜ＲＯＩ４上には、計測対象の長径が点線で表示されている。
【００５５】
次に、ユーザによって入力装置３０を用いてグラフ作成指示が入力されると、特徴量取得部１２によって算出された各関心領域ＲＯＩ１〜ＲＯＩ４の特徴量は、グラフ表示制御部１３に入力され、グラフ表示制御部１３は、入力された特徴量をプロットしたグラフＧ１〜Ｇ４を作成し、そのグラフＧ１〜Ｇ４を医用画像Ｐ１〜Ｐ４の表示領域Ｒ１〜Ｒ４内にそれぞれ表示させる（Ｓ２２）。
【００５６】
グラフ作成指示については、たとえばユーザがマウスを右クリックすることによってグラフ作成を含む種々の動作指示内容をリスト表示し、そのリストの中からユーザがグラフ作成を選択してクリックすることによってグラフ作成指示を入力するようにしてもよいし、またはユーザがショートカットキー操作を行うことによってグラフ作成指示を入力するようにしてもよい。
【００５７】
また、グラフについては、最初は、各関心領域ＲＯＩ１〜ＲＯＩ４について算出された複数の特徴量のうちの１種類の特徴量をプロットしたグラフが表示される。この際、表示される特徴量の種類は、予め設定していてもよし、ユーザが選択するようにしてもよい。ユーザが選択する場合には、たとえばユーザがグラフ作成指示を入力した後、複数種類の特徴量の名称をリスト表示し、そのリストの中からユーザがグラフ作成対象の特徴量をクリックすることによって選択するようにしてもよい。
【００５８】
図５は、各関心領域ＲＯＩ１〜ＲＯＩ４について算出された複数の特徴量のうちの濃度の平均値をプロットしてグラフ表示させた例を示している。図５に示すグラフＧ１〜Ｇ４の横軸は、各医用画像が撮影された時刻を表すための時間軸であり、縦軸は、濃度の平均値の大きさを表す軸である。
【００５９】
また、グラフＧ１〜Ｇ４においては、４枚の医用画像の４つの特徴量のうち、各グラフが表示された表示領域と同じ表示領域に表示された医用画像の特徴量の点を、他の表示領域に表示された医用画像の特徴量の点とは異なる表示態様で表示している。具体的には、グラフＧ１では、グラフＧ１が表示された表示領域Ｒ１内に表示された医用画像Ｐ１の特徴量の点を黒い四角の点で表示し、他の表示領域Ｒ２〜Ｒ４に表示された医用画像Ｐ２〜Ｐ４の特徴量の点を白い四角の点で表示している。また、グラフＧ２では、グラフＧ２が表示された表示領域Ｒ２内に表示された医用画像Ｐ２の特徴量の点を黒い四角の点で表示し、他の表示領域Ｒ１，Ｒ３〜Ｒ４に表示された医用画像Ｐ１，Ｐ３〜Ｐ４の特徴量の点を白い四角の点で表示している。なお、グラフＧ３およびグラフＧ４についても同様である。
【００６０】
次に、図５に示すようにグラフＧ１〜Ｇ４が表示された状態において、ユーザが入力装置３０を用いてグラフの編集操作を入力した場合には、そのユーザによる編集操作が編集操作受付部１４によって受け付けられ、編集操作受付部１４は、受け付けた編集操作に応じた編集内容を決定し、グラフ表示制御部１３に出力する（Ｓ２４）。
【００６１】
そして、グラフ表示制御部１３によって編集操作受付部１４から出力された編集内容が受け付けられ、グラフ表示制御部１３は、受け付けた編集内容に応じて現在表示されているグラフを編集する（Ｓ２８）。
【００６２】
そして、さらにユーザが入力装置３０を用いてグラフの編集操作を入力した場合には、Ｓ２４〜Ｓ２８の処理が繰り返して行われる（Ｓ３０）。
【００６３】
なお、本実施形態においては、上述したように関心領域ＲＯＩ１〜ＲＯＩ４を設定した後、グラフ作成指示が入力された場合に、グラフを作成して表示させるようにしたが、これに限らず、関心領域ＲＯＩ１〜ＲＯＩ４を設定した時点において、グラフ作成および表示を自動的に行うようにしてもよい。この際、グラフを作成する特徴量については、事前にユーザによって選択されているものとする。
【００６４】
また、関心領域の形状については、フリーハンドで描かれた形状としてもよいし、楕円、矩形または多角形など予め設定された形状としてもよい。
【００６５】
また、表示されたグラフＧ１〜Ｇ４の線上または頂点などにマウスのカーソルを移動させた際、そのカーソル上の特徴量の値や線の傾きを表示させるようにしてもよい。
【００６６】
以下、グラフの編集操作とその編集操作に応じたグラフの編集について、図６〜図１７を参照しながら詳細に説明する。なお、図６〜図１７においては、図５に示す４つの表示領域Ｒ１〜Ｒ４のうちの表示領域Ｒ１に表示された編集前のグラフＧ１および編集後のグラフを示しているが、他の表示領域Ｒ２〜Ｒ４に表示されたグラフＧ２〜Ｇ４についても同様の編集が可能である。
【００６７】
まず、図６を参照してグラフの追加操作について説明する。図６の左図は、編集操作前のグラフＧ１を示しており、図６の右図は、グラフの追加操作後のグラフＧ１０を示している。具体的には、図６の左図のグラフＧ１は、関心領域として、図６に示す関心領域ＲＯＩ１０が設定された場合の濃度の平均値のグラフを示している。なお、医用画像Ｐ１以外の医用画像Ｐ２〜Ｐ４においても、関心領域ＲＯＩ１０に対応する関心領域が設定され、その特徴量がグラフＧ１にプロットされている。また、図７〜図１７においても、図６の左図に示すグラフＧ１と同様のグラフが編集前のグラフとして左側に示されているものとする。
【００６８】
図６の左図に示すようにグラフＧ１が表示された状態において、ユーザがマウスを用いて関心領域ＲＯＩ１１をさらに追加して設定した場合には、この関心領域ＲＯＩ１１の追加操作がグラフの追加操作として受け付けられ、そのグラフの追加操作に応じて、関心領域ＲＯＩ１１の濃度の平均値をプロットしたグラフＧ１０が新たに作成されて追加表示される。なお、この際、グラフの縦軸については、グラフＧ１とグラフＧ１０の最大値および最小値に応じて変更される。なお、タッチパネルにおいてグラフの追加操作を行う場合には、ユーザが新しい関心領域を指でドラッグして追加するようにすればよい。このようにユーザが関心領域ＲＯＩ１１を新たに追加する操作だけで、現在表示されているグラフに対する新たなグラフの追加を簡易かつ即座に行うことができる。
【００６９】
なお、追加される関心領域およびグラフの数は１つに限らず、２つ以上の追加操作を受け付け、２つ以上のグラフを追加するようにしてもよい。
【００７０】
また、上記説明では、最初に表示されたグラフＧ１の座標軸上に追加されたグラフＧ１０を表示するようにしたが、最初に表示されたグラフＧ１の座標軸とは異なる座標軸にグラフＧ１０を表示させるようにしてもよい。
【００７１】
次に、図７は、編集操作前のグラフＧ１とサイズ変更操作後のグラフＧ１１を示した図である。具体的には、図７の左図に示すようにグラフＧ１が表示された状態において、たとえばユーザがマウスによってグラフＧ１の表示範囲の隅を指定してドラッグしたり、またはサイズ変更のショートカットキー操作を行ったりした場合には、その操作がグラフのサイズ変更操作として受け付けられ、その操作に応じて、グラフＧ１のサイズを変更したグラフＧ１１が作成されて表示される。なお、ショートカットキー操作によってサイズ変更指示を入力するようにしてもよく、この場合、グラフの拡縮率については、予め設定しておいてもよいし、ユーザがカーソルキーまたはマウスを用いて指定するようにしてもよい。また、タッチパネルにおいてグラフＧ１のサイズ変更操作を行う場合には、ユーザが、グラフＧ１の表示領域をピンチアウトまたはピンチインするようにすればよい。このようにユーザがサイズ変更操作を行うだけで、現在表示されているグラフのサイズ変更を簡易かつ即座に行うことができる。
【００７２】
次に、図８は、編集操作前のグラフＧ１とグラフの表示位置の変更操作後のグラフＧ１２を示した図である。具体的には、図８の左図に示すようにグラフＧ１が表示された状態において、たとえばユーザがマウスによってグラフＧ１を指定してドラッグしたり、または表示位置変更のショートカットキー操作およびカーソルキー操作を行ったりした場合には、その操作がグラフの表示位置の変更操作として受け付けられ、その操作に応じて、グラフＧ１を移動させたグラフＧ１２が作成されて表示される。なお、タッチパネルにおいてグラフＧ１の表示位置の変更操作を行う場合には、ユーザが、グラフＧ１をドラッグするようにすればよい。このようにユーザが表示位置の変更操作を行うだけで、現在表示されているグラフの表示位置の変更を簡易かつ即座に行うことができる。
【００７３】
次に、図９は、編集操作前のグラフＧ１とグラフの色の変更操作後のグラフＧ１３を示した図である。具体的には、図９の左図に示すようにグラフＧ１の折れ線が白色で表示された状態（グラフの背景は黒色で表示されているものとする）において、たとえばユーザがマウスによってグラフＧ１の折れ線または点を指定し、さらに色の指定操作を行った場合には、その操作がグラフの色の変更操作として受け付けられ、その操作に応じて、たとえば図９の右図に示すように青色のグラフＧ１３が作成されて表示される。
【００７４】
なお、色の指定については、たとえばユーザがマウスを右クリックすることによって種々の色をリスト表示し、そのリストの中からユーザが所望の色を選択してクリックするようにすればよい。また、タッチパネルにおいてグラフＧ１の色の変更操作を行う場合には、ユーザが、グラフＧ１をタップし、その後のタップによって種々の色のリスト表示し、そのリストの中からユーザが所望の色をタップするようにすればよい。このようにユーザが色の変更操作を行うだけで、現在表示されているグラフの色の変更を簡易かつ即座に行うことができる。
【００７５】
次に、図１０は、編集操作前のグラフＧ１とグラフＧ１に付加された文字情報のサイズ変更操作後のグラフＧ１４を示した図である。文字情報は、グラフの縦軸および横軸に付加される軸の名称および軸上に示される特徴量の値並びに目盛などといったグラフに関する文字情報であれば如何なるものでもよい。また、文字情報には、数字および記号も含まれるものとする。
【００７６】
具体的には、図１０の左図に示すようにグラフＧ１が表示された状態において、たとえばユーザがマウスによってグラフＧ１の文字情報を指定し、サイズの指定操作を行った場合には、その操作がグラフの文字情報のサイズ変更操作として受け付けられ、その操作に応じて、たとえば図１０の右図に示すように軸の名称の文字のサイズと軸上の数値のサイズが変更されたグラフＧ１４が作成されて表示される。なお、文字情報のサイズの指定については、たとえばユーザがマウスを右クリックすることによって種々のサイズをリスト表示し、そのリストの中からユーザが所望のサイズを選択してクリックするようにすればよい。なお、文字情報のサイズ変更操作については、ショートカットキー操作によって文字情報のサイズ変更を指示し、カーソルキー操作によって変更後のサイズを指定するようにしてもよい。また、タッチパネルにおいてグラフの文字情報のサイズ変更操作を行う場合には、ユーザが、グラフＧ１の文字情報をタップし、その後のタップによって種々のサイズをリスト表示し、そのリストの中からユーザが所望のサイズをタップするようにすればよい。このようにユーザが文字情報のサイズ変更操作を行うだけで、現在表示されているグラフの文字情報のサイズの変更を簡易かつ即座に行うことができる。
【００７７】
次に、図１１は、編集操作前のグラフＧ１とグラフＧ１の線幅の変更操作後のグラフＧ１５を示した図である。
【００７８】
具体的には、図１１の左図に示すようにグラフＧ１が表示された状態において、たとえばユーザがマウスによってグラフＧ１の折れ線を指定し、線幅の指定操作を行った場合には、その操作がグラフの線幅の変更操作として受け付けられ、その操作に応じて、たとえば図１１の右図に示すように折れ線の線幅が変更されたグラフＧ１５が作成されて表示される。なお、グラフの線幅の指定については、たとえばユーザがマウスを右クリックすることによって種々の線幅をリスト表示し、そのリストの中からユーザが所望の線幅を選択してクリックするようにすればよい。また、グラフの線幅の変更操作については、ショートカットキー操作によってグラフの線幅の変更を指示し、カーソルキー操作によって線幅を指定するようにしてもよい。また、タッチパネルにおいてグラフの線幅の変更操作を行う場合には、ユーザが、グラフＧ１の折れ線をタップし、その後のタップによって種々の線幅をリスト表示し、そのリストの中からユーザが所望の線幅をタップするようにすればよい。このようにユーザがグラフの線幅の変更操作を行うだけで、現在表示されているグラフの線幅の変更を簡易かつ即座に行うことができる。
【００７９】
次に、図１２は、編集操作前のグラフＧ１とグラフＧ１に付加された文字情報のフォントの変更操作後のグラフＧ１６を示した図である。文字情報は、上述したように、グラフの縦軸および横軸に付加される軸の名称および軸上に示される特徴量の値並びに目盛などといったグラフに関する文字情報であれば如何なるものでもよい。また、文字情報には、数字および記号も含まれるものとする。
【００８０】
具体的には、図１２の左図に示すようにグラフＧ１が表示された状態において、たとえばユーザがマウスによってグラフＧ１の軸の名称を指定し、フォントの指定操作を行った場合には、その操作がグラフの文字情報のフォント変更操作として受け付けられ、その操作に応じて、たとえば図１２の右図に示すように軸の名称のフォントが変更されたグラフＧ１６が作成されて表示される。なお、文字情報のフォントの指定については、たとえばユーザがマウスを右クリックすることによって種々のフォントをリスト表示し、そのリストの中からユーザが所望のフォントを選択してクリックするようにすればよい。また、タッチパネルにおいてグラフのフォントの変更操作を行う場合には、ユーザが、グラフＧ１の文字情報をタップし、その後のタップによって種々のフォントをリスト表示し、そのリストの中からユーザが所望のフォントをタップするようにすればよい。このようにユーザが文字情報のフォント変更操作を行うだけで、現在表示されているグラフの文字情報のフォントの変更を簡易かつ即座に行うことができる。
【００８１】
次に、図１３は、編集操作前のグラフＧ１とグラフＧ１のコピー操作およびペースト操作後のグラフＧ１７を示した図である。
【００８２】
具体的には、図１３の左図に示すようにグラフＧ１が表示された状態において、たとえばユーザがマウスによってグラフＧ１を指定し、マウスを右クリックして編集メニューを表示させ、その編集メニューの中から「コピー」を選択した場合には、グラフＧ１のコピーが作成される。そして、その後、再びマウスを右クリックして編集メニューを表示させ、その編集メニューの中から「ペースト」を選択した場合には、図１２の右図に示すようにグラフＧ１をコピーしたグラフＧ１７が追加して表示される。なお、コピー操作およびペースト操作については、たとえばユーザがグラフＧ１をマウスで指定した後、ショートカットキー操作によって行うようにしてもよい。また、タッチパネルにおいてグラフＧ１のコピー操作およびペースト操作を行う場合には、ユーザが、グラフＧ１をダブルタップすることによってコピー対象のグラフの指定と編集メニューの表示を行い、その編集メニューの中から「コピー」および「ペースト」を選択するようにすればよい。このようにユーザがグラフのコピー操作およびペースト操作を行うだけで、現在表示されているグラフのコピーおよびペーストを簡易かつ即座に行うことができる。
【００８３】
次に、図１４は、編集操作前のグラフＧ１とグラフＧ１の削除操作後の表示領域を示した図である。
【００８４】
具体的には、図１４の左図に示すようにグラフＧ１が表示された状態において、たとえばユーザがマウスによってグラフＧ１を指定し、マウスを右クリックして編集メニューを表示させ、その編集メニューの中から「削除」を選択した場合には、その操作がグラフの削除操作として受け付けられ、その操作に応じて、図１２の右図に示すようにグラフＧ１が表示領域から削除される。なお、削除操作については、たとえばグラフＧ１をマウスで指定した後、ショートカットキー操作によって行うようにしてもよい。また、タッチパネルにおいてグラフの削除操作を行う場合には、ユーザが、グラフＧ１をダブルタップすることによって削除対象のグラフの指定と編集メニューの表示を行い、その編集メニューの中から「削除」を選択するようにすればよい。このようにユーザがグラフの削除操作を行うだけで、現在表示されているグラフの削除を簡易かつ即座に行うことができる。
【００８５】
次に、図１５は、編集操作前のグラフＧ１とグラフ表示させる特徴量の種類の変更操作後のグラフＧ１８を示した図である。
【００８６】
具体的には、図１５の左図に示すようにグラフＧ１が表示された状態において、たとえばユーザがマウスによってグラフＧ１を指定し、マウスを右クリックして編集メニューを表示させ、その編集メニューの中から「特徴量の変更」を選択した場合には、さらに計測した複数の特徴量のリストが表示される。具体的には、たとえば特徴量として、関心領域ＲＯＩ１０の面積、長径、濃度の平均値、濃度の標準偏差、濃度の最大値および濃度の最小値を計測した場合には、これらの特徴量のリストが表示される。そして、その後、ユーザが特徴量のリストの中から「面積」を選択した場合には、図１２の右図に示すようにグラフ表示させる特徴量を面積に変更したグラフＧ１８が作成されて表示される。なお、タッチパネルにおいて特徴量の変更操作を行う場合には、ユーザが、グラフＧ１をダブルタップすることによって、特徴量の変更対象のグラフの指定と編集メニューの表示を行い、その編集メニューの中から「特徴量の変更」をタップした場合に、複数の特徴量のリストを表示させ、その特徴量のリストの中から「面積」をタップすることによってグラフ表示させる特徴量を「面積」に変更するようにすればよい。このようにユーザが特徴量の種類の変更操作を行うだけで、現在表示されているグラフの特徴量の種類の変更を簡易かつ即座に行うことができる。
【００８７】
また、上記説明では、ユーザが複数の特徴量のリストの中から変更後の特徴量を選択するようにしたが、このような操作に限らず、単純にグラフＧ１をクリックまたはタップする度に、予め設定された順序で複数の特徴量を順次変更してグラフを作成し、その作成したグラフを順次切り替えて表示させるようにしてもよい。
【００８８】
次に、図１６は、編集操作前のグラフＧ１とグラフ表示させる関心領域の変更操作後のグラフＧ１９を示した図である。
【００８９】
具体的には、図１６の左図に示すようにグラフＧ１が表示された状態において、たとえばユーザがマウスによってグラフＧ１を指定し、マウスを右クリックして編集メニューを表示させ、その編集メニューの中から「関心領域の変更」を選択した場合には、再び、新しい関心領域の指定を受け付けるようにする。そして、図１６の右図に示すように、新しい関心領域ＲＯＩ２０がユーザによって指定された場合には、その関心領域ＲＯＩ２０内の特徴量が４枚の医用画像Ｐ１〜Ｐ４について新たに計測され、その特徴量をプロットしたグラフＧ１９が作成されて表示される。関心領域の変更指示については、ユーザがマウスを用いて新しい関心領域を指定するようにしてもよいし、図１６の左図に示した関心領域ＲＯＩ１０のコピー操作およびペースト操作を受け付けることによって、関心領域ＲＯＩ１０と同じ大きさおよび形状の関心領域ＲＯＩ２０を所望の位置に設定するようにしてもよい。なお、タッチパネルにおいて関心領域の変更操作を行う場合には、ユーザが、グラフＧ１をダブルタップすることによって、関心領域の変更対象のグラフの指定と編集メニューの表示を行い、その編集メニューの中から「関心領域の変更」をタップした場合に、新たな関心領域の設定を受け付けるようにすればよい。このようにユーザが関心領域の変更操作を行うだけで、現在表示されているグラフの関心領域の変更を簡易かつ即座に行うことができる。
【００９０】
次に、図１７は、編集操作前のグラフＧ１とグラフの背景の透過表示操作後のグラフＧ２０を示した図である。
【００９１】
具体的には、図１７の左図に示すようにグラフＧ１が表示された状態において、たとえばユーザがマウスによってグラフＧ１を指定し、マウスを右クリックして編集メニューを表示させ、その編集メニューの中から「背景透過表示」を選択した場合には、図１２の右図に示すようにグラフＧ１の背景が非透過表示から透過表示に切り替えられる。なお、背景の透過表示操作については、たとえばグラフＧ１をマウスで指定した後、ショートカットキー操作によって行うようにしてもよい。また、タッチパネルにおいて背景の透過表示操作を行う場合には、ユーザが、グラフＧ１をダブルタップすることによって透過表示切替対象のグラフの指定と編集メニューの表示を行い、その編集メニューの中から「背景透過表示」を選択するようにすればよい。なお、上記説明では、グラフの背景を非透過表示から透過表示に切り替える場合について説明したが、透過表示から非透過表示への切り替えも同様の操作によって行うことができる。このようにユーザが背景の透過表示操作または非透過表示操作を行うだけで、現在表示されているグラフの背景の透過表示または非透過表示への切り替えを簡易かつ即座に行うことができる。
【符号の説明】
【００９２】
１     医用画像表示システム
１０   医用画像表示制御装置
１１   医用画像表示制御部
１２   特徴量取得部
１３   グラフ表示制御部
１４   編集操作受付部
【図１】
2016158829.tif 000003
【図２】
2016158829.tif 000004
【図３】
2016158829.tif 000005
【図４】
2016158829.tif 000006
【図５】
2016158829.tif 000007
【図６】
2016158829.tif 000008
【図７】
2016158829.tif 000009
【図８】
2016158829.tif 000010
【図９】
2016158829.tif 000011
【図１０】
2016158829.tif 000012
【図１１】
2016158829.tif 000013
【図１２】
2016158829.tif 000014
【図１３】
2016158829.tif 000015
【図１４】
2016158829.tif 000016
【図１５】
2016158829.tif 000017
【図１６】
2016158829.tif 000018
【図１７】
2016158829.tif 000019